(57)【要約】【課題】基体に接続される枠体の、その長さ方向内側の部位において前記基体に連結することにより、前記枠体の中間部の膨らみを防止してその型崩れを抑制することを課題とする。【解決手段】シート状の基体２と、この基体の周辺に沿って配置される複数の枠体３と、これらの枠体と前記基体とを連結する連結片４を備え、  前記基体と前記枠体のいずれか一方もしくは両方の、前記枠体の長さ方向の内側の部位に、前記連結片が嵌挿固定されるスリットＡが形成されていることを特徴とする。【選択図】図２
2016083127.tif 000002
【特許請求の範囲】
【請求項１】
シート状の基体と、この基体の周辺に沿って配置される複数の枠体と、これらの枠体と前記基体とを連結する連結片を備え、
前記基体と前記枠体のいずれか一方もしくは両方の、前記枠体の長さ方向の内側の部位に、前記連結片が嵌挿固定されるスリットが形成されていることを特徴とする額縁。
【請求項２】
前記枠体が、複数の折り線に沿って折り曲げられて中空状に形成されていることを特徴とする請求項１に記載の額縁。
【請求項３】
前記連結片が、前記基体もしくは前記枠体の少なくとも一方に一体に連設されているとともに、前記スリットが、前記枠体に形成されていることを特徴とする請求項１または請求項２に記載の額縁。
【請求項４】
前記基体と前記枠体が、前記連結片の各端部に一体に連設されているとともに、前記スリットが、前記枠体に形成されていることを特徴とする請求項１または請求項２に記載の額縁。
【請求項５】
前記枠体が、前記連結片の一端部に一体に連設されているとともに、前記スリットが、前記基体および前記枠体に形成されていることを特徴とする請求項１または請求項２に記載の額縁。
【請求項６】
前記枠体の前面部を形成する、前記枠体の長さ方向に沿った、若しくは斜め方向の折り線を、湾曲線若しくは屈曲線とすることにより、前記枠体の表面を曲面若しくは凹凸形状としたことを特徴とする請求項１ないし請求項５に記載の額縁。
【請求項７】
前記枠体に、その枠体の幅方向に沿う折り線若しくは斜め方向の折り線を、前記枠体の長さ方向に形成し、これらの折り線を湾曲線若しくは屈曲線とするとともに、隣り合う一方の折り線を任意の数の山折り線とし、他方の折り線を任意の数の谷折り線としたことを特徴とする請求項１ないし請求項６に記載の額縁。
【請求項８】
前記基体若しくは枠体の各辺の、前記連結片と重畳しない部位に、前記枠体によって包み込まれる補強体が連設されていることを特徴とする請求項２ないし請求項７に記載の額縁。
【請求項９】
前記補強体が、複数の折り線によって折り曲げられて箱状に形成されていることを特徴とする請求項８に記載の額縁。
【請求項１０】
前記基体に、前記枠体の断面形状と略同一形状を有し、前記基体から立ち上げられる補強舌片を設け、前記枠体に、前記補強舌片が掛け止めされるスリットが形成されていることを特徴とする請求項２ないし請求項９に記載の額縁。
【請求項１１】
前記補強舌片の、前記基体からの立ち上げ部に、前記枠体が挿入される枠係止部が形成されていることを特徴とする請求項１０に記載の額縁。
【発明の詳細な説明】
【技術分野】
【０００１】
本発明は、額縁に係わり、特に、紙等のシート状物を折り曲げて、周縁部に枠を形成した額縁に関するものである。
【背景技術】
【０００２】
従来、たとえば、特許文献１に示されるように、紙等のシート状物を折り曲げて、周縁部に枠を形成した額縁が提案されている。
【０００３】
この額縁は、四角形状の基体と、この基体の各辺から外方へ延設された枠形成部とからなるシート状物を用い、前記枠形成部を、前記基体の各辺と並行して設けられた複数の折り線によって折り曲げることにより、中空状の枠体を形成し、これらの枠体同士を、その端部間において連結することにより、前記基体の周縁部に前記枠体を一体形成したものである。
【先行技術文献】
【特許文献】
【０００４】
【特許文献１】特開昭６０−２４８０８号公報
【発明の概要】
【発明が解決しようとする課題】
【０００５】
ところで、前述した従来の額縁にあっては、前記枠体を、前述したようにシート状物を折り曲げて形成してあることから型崩れしやすい。
そして、前記枠体は、額縁の意匠の主要部を構成するものであることから、その型崩れを極力防止する必要がある。
【０００６】
そこで、従来では、隣接する枠体同士が、その長さ方向において交差することから、前記枠体の各端部を連結することにより、一方の枠体の開き方向への動きを、他方の枠体の長さ方向において拘束するようにして、前記枠体の型崩れを防止するようにしている。
【０００７】
このような対処により、前記枠体の型崩れをある程度抑制することが可能であるが、なお、つぎのような改善すべき点が残されている。
【０００８】
すなわち、従来の技術では、前記枠体の両端部においてその変形を拘束するようにしており、前記枠体の端部間に変形防止のための拘束手段がない。
このために、前記枠体の中間部が膨れあがるように変形することが想定される。
【０００９】
本発明は、前述した従来において残されている問題点を解決せんとしてなされたもので、シート状物を折り曲げて枠体を形成した際に、この枠体の、長さ方向内側における変形を抑制して、枠体が型崩れし難い額縁を提供することを解決課題とする。
【課題を解決するための手段】
【００１０】
本発明の額縁は、シート状の基体と、この基体の周辺に沿って配置される複数の枠体と、これらの枠体と前記基体とを連結する連結片を備え、
前記基体と前記枠体のいずれか一方もしくは両方の、前記枠体の長さ方向の内側の部位に、前記連結片が嵌挿固定されるスリットが形成されていることを特徴とする。スリットに対峙した前記連結片の位置には係止切込みがあり前記連結片を係止する。
【００１１】
このような構成とすることにより、前記連結片を前記スリットに嵌挿して固定することにより、前記基体に前記枠体が前記連結片を介して装着される。
【００１２】
ここで、前記スリットが、前記基体の各辺の長さ方向の内側の部位に形成されていることから、前記枠体が、その長さ方向の内側において前記基体に連結される。
【００１３】
したがって、前記枠体の長さ方向の内側の部位の変形が拘束されて、その型崩れが大幅に抑制される。
【００１４】
そして、前記枠体を、複数の折り線に沿って折り曲げて中空状に形成することができ、この場合、前記枠体が、その折り線の長さ方向の内側部分で、前記連結片により前記基体に固定され、その内側の膨れが抑制される。
【００１５】
また、前記連結片を、前記基体もしくは前記枠体の少なくとも一方に一体に連設し、前記スリットを、前記枠体に形成した構成とすることもできる。
また、前記基体と前記枠体を、前記連結片の各端部に一体に連設し、前記スリットを、前記枠体に形成した構成とすることもできる。
また、前記枠体を、前記連結片の各端部に一体に連設し、前記スリットを、前記基体及び前記枠体に形成した構成とすることもできる。
前記スリットは、長穴や切り込み等によって、直線状、湾曲状、もしくは、屈曲した形状に形成される。
【００１６】
また、前記枠体の前面部を形成する、前記枠体の長さ方向に沿った、若しくは斜め方向の折り線を、湾曲線若しくは屈曲線とすることにより、前記枠体の表面を曲面若しくは凹凸形状とすることができる。
【００１７】
このような構成とすることにより、前記枠体の表面を曲面若しくは凹凸状とすることができ、これによって、枠体の意匠性を優れたものとするだけでなく、枠体自体を剛構造として、その変形を抑制し、強度を向上させることができる。
【００１８】
また、前記枠体に、その枠体の幅方向に沿う折り線若しくは斜め方向の折り線を、前記枠体の長さ方向に形成し、これらの折り線を湾曲線若しくは屈曲線とするとともに、隣り合う一方の折り線を任意の数の山折り線とし、他方の折り線を任意の数の谷折り線とすることもできる。
【００１９】
このような構成とすることにより、前記枠体の一部を重畳させることができ、これによって、枠体の意匠性を優れたものとするだけでなく、枠体自体を剛構造として、その変形を抑制し、強度を向上させることができる。
【００２０】
さらに、前記基体若しくは前記枠体の各辺の、前記連結片と重畳しない部位に、前記枠体によって包み込まれる補強体を連設することが好ましい。
【００２１】
このような構成とすることにより、前記枠体を前記補強体によって内部から支持して二重構造とし、これによって、前記枠体の変形を一層抑制することができるとともに、前記枠体の強度を高めることができる。
【００２２】
そして、前記補強体を、複数の折り線によって折り曲げることにより箱状に形成することができる。
【００２３】
これによって、補強体自体の強度を高めることができるとともに、支持される前記枠体の強度を向上させることができる。
【００２４】
また、前記基体に前記枠体の断面形状と略同一形状の切り込みを入れ、前記基体から立ち上げることによって補強舌片を形成し、前記枠体に、前記補強舌片が掛け止めされるスリットを形成するようにしてもよい。
【００２５】
このような構成とすることにより、前記補強舌片によって前記枠体をその内面から支持して、その強度を高めることができるとともに、前記枠体と基体とのずれを防止して、前記枠体の形状を保持することができる。
【００２６】
そして、前記補強舌片の、前記基体からの立ち上げ部に、前記枠体が挿入される枠係止部を形成しておくことにより、前記枠体と前記基体との連結をより強固なものとし、前記枠体と前記基体との一体感をより高めることができる。
【発明の効果】
【００２７】
本発明の額縁によれば、基体に接続される枠体の、その長さ方向内側の部位において前記基体に連結することにより、前記枠体の中間部の膨らみを防止してその型崩れを抑制することができる。
【図面の簡単な説明】
【００２８】
【図１】本発明の第１の実施形態にかかる額縁の斜視図である。
【図２】本発明の第１の実施形態にかかる額縁の背面図である。
【図３】本発明の第１の実施形態を示すもので、額縁の展開図である。
【図４】本発明の第１の実施形態を示すもので、組み立て手順を示す、枠形成部の一部の拡大斜視図である。
【図５】本発明の第１の実施形態を示すもので、組み立て手順を示す、枠形成部の一部の拡大斜視図である。
【図６】本発明の第１の実施形態を示すもので、組み立て手順を示す、枠形成部の一部の拡大斜視図である。
【図７】本発明の第１の実施形態を示すもので、組み立て手順を示す、枠形成部の一部の拡大斜視図である。
【図８】本発明の第１の実施形態を示すもので、組み立て手順を示す、枠形成部の一部の拡大斜視図である。
【図９】本発明の第１の実施形態を示すもので、図８のＩＸ−ＩＸ線断面図である。
【図１０】本発明の第１の実施形態を示すもので、組み立て手順を示す、枠形成部の一部の拡大斜視図である。
【図１１】本発明の第１の実施形態を示すもので、組み立て手順を示す、枠形成部の一部の拡大斜視図である。
【図１２】本発明の第１の実施形態を示すもので、組み立て手順を示す、枠形成部の一部の拡大斜視図である。
【図１３】本発明第１の実施形態を示すもので、図１２のＸＩＩＩ−ＸＩＩＩ線断面図である。
【図１４】本発明の第１の実施形態を示すもので、組み立て手順を示す、枠形成部の一部の拡大斜視図である。
【図１５】本発明の第２の実施形態を示す額縁の展開図である。
【図１６】図１５に示す実施形態の額縁の正面図である。
【図１７】図１５に示す実施形態の額縁の側面図である。
【図１８】図１５に示す実施形態の額縁の背面図である。
【図１９】本発明の第３の実施形態を示すもので、枠体の一部の展開図である。
【図２０】本発明の第３の実施形態を示すもので、枠体の一部の斜視図である。
【図２１】本発明の第４の実施形態を示すもので、枠体の一部の展開図である。
【図２２】本発明の第４の実施形態を示すもので、枠体の一部の斜視図である。
【図２３】本発明の第５の実施形態を示すもので、枠体の一部の展開図である。
【図２４】本発明の第５の実施形態を示すもので、組み上げられた枠体の縦断面図である。
【図２５】本発明の第６の実施形態を示す要部の展開図である。
【図２６】本発明の第６の実施形態を示すもので、組み上げられた枠体の縦断面図である。
【図２７】本発明の第７の実施形態を示す要部の展開図である。
【図２８】本発明の第７の実施形態を示すもので、組み上げられた枠体の縦断面図である。
【図２９】本発明の第８の実施形態を示す要部の展開図である。
【図３０】本発明の第８の実施形態を示すもので、組み上げられた枠体の側面図である。
【図３１】本発明の第８の実施形態を示すもので、組み上げられた枠体の縦断面図である。
【図３２】本発明の第９の実施形態を示す要部の展開図である。
【図３３】本発明の第９の実施形態を示すもので、組み立て手順を示す基部の平面図である。
【図３４】本発明の第９の実施形態を示すもので、図３３のＸＸ−ＸＸ線断面図である。
【図３５】本発明の第９の実施形態を示すもので、組み立て手順を示す平面図である。
【図３６】本発明の第９の実施形態を示すもので、組み立て手順を示す平面図である。
【図３７】本発明の第９の実施形態を示すもので、組み立て手順を示す、図３６のＸＸＩ−ＸＸＩ線断面図である。
【図３８】本発明の第９の実施形態を示すもので、組み立て手順を示す、図３６のＸＸＩ−ＸＸＩ線断面図である。
【図３９】本発明の第９の実施形態を示すもので、組み立て手順を示す、図３６のＸＸＩ−ＸＸＩ線断面図である。
【図４０】本発明の第１０の実施形態を示す展開図である。
【図４１】本発明の第１０の実施形態を示すもので、隣り合う枠体の組み付け手順を示す要部の拡大斜視図である。
【図４２】本発明の第１０の実施形態を示すもので、（ａ）は組み上げられた額縁の正面図、（ｂ）は組み上げられた額縁の背面図である。
【図４３】本発明の第１０の実施形態を示すもので、（ａ）は、図４２（ａ）のＸＸＩＩ−ＸＸＩＩ線拡大断面図、（ｂ）は、図４２（ａ）のＸＸＪＪ−ＸＸＪＪ線拡大断面図である。
【図４４】本発明の第１０の実施形態を示すもので、（ａ）は収納状態を示す正面図、（ｂ）は収納状態を示す背面図である。
【図４５】本発明の第１０の実施形態を示すもので、図４４のＸＸＩＩＩ−ＸＸＩＩＩ線拡大断面図である。
【発明を実施するための形態】
【００２９】
＜第１の実施形態＞
以下、本発明の第１の実施形態について、図１ないし図１４を参照して説明することにより、本発明の額縁の基本的構造を説明する。
なお、本実施形態は補強体付きの例で、補強体無しの例は第９の実施形態に示している。
図１において、符号１は、本実施形態に係わる額縁を示す。
この額縁１は、多角形シート状の基体２と、この基体２の各辺に沿って配置される複数の枠体３と、図２に示すように、これらの枠体３と前記基体２とを連結する連結片４を備え、前記枠体３の、前記基体２の各辺の長さ方向の内側の部位に、前記連結片４が嵌挿固定されるスリットＡが形成されている。
【００３０】
本実施形態における前記額縁１は、一枚の紙等のシート状物（以下、シートと略称する）を折り曲げて組み上げられることにより、基体２、枠体３、および連結片４が形成されるものであり、その展開図を図３に示す。
【００３１】
このシートは、前記基体１を構成する長方形状の基部Ｂと、この基部Ｂの各辺の途中から外側に向かって連設された帯状の前記連結片４と、前記基部Ｂの各辺に対応し、かつ、前記連結片の外側の端部に連設され、前記枠体３を構成する枠形成部Ｃと、前記基部Ｂと前記枠形成部Ｃおよび前記連結片４とによって形成される空間部内に位置され、前記基部Ｂの各辺に連設された補強部Ｄとを備えている。
【００３２】
図３の展開図において、実線は、前記基部Ｂ、枠形成部Ｃ、および、補強部Ｄを画成する外形線および切り込み線を示し、点線が山折り線Ｙ、また、これら以外の破線が谷折り線Ｔを示している。
【００３３】
前記枠体３は、前記基体２の短辺側に位置される第１枠体３ａと、長辺側に位置させる第２枠体３ｂとによって構成されている。
【００３４】
前記連結片４は、図３に示すように、前記基部Ｂの短辺側と長辺側のそれぞれの縁部から外方へ向けて延設されており、短辺側の一カ所、長辺側の二カ所に形成されている。
また、これらの連結片４の長さ方向の中間部には、その長さ方向と直交するように谷折り線Ｔ１が設けられている。
【００３５】
前記枠形成部Ｃは、前記基部Ｂの短辺側に形成される第１枠部Ｃ１と、前記基部Ｂの長辺側に形成される第２枠部Ｃ２とから構成されている。
【００３６】
そして、前記第１枠部Ｃ１は矩形状に形成されて、前記基部Ｂに対し、前記補強部Ｄを挟んで形成され、その幅（前記基部Ｂの短辺方向の幅）が、前記基部Ｂの短辺の長さに等しく設定されているとともに、その幅方向の中間部において、前記連結片４を介して前記基部Ｂに連結されている。
【００３７】
また、前記第１枠部Ｃ１には、前記基部Ｂの短辺と平行な３つの山折り線Ｙ１・Ｙ２・Ｙ３が設けられ、また、最外部に位置させられた山折り線Ｙ３よりも外側には、前記連結片４の延長線上に位置し、この連結片４の長さ方向と直交するように前記スリットＡが形成されている。
【００３８】
前記スリットＡは、長穴やスリット状の切り込みであり、前記連結片４の長さ方向に間隔を置いて平行に二カ所に形成されている。
また、前記連結片４の基部側の係止切り込み４ａと枠体３側にある係止切込み４ｂがあり、それらは枠体３と平行な切込みである。額が組み立てられたとき係止切込み４ａ・４ｂとスリットＡとの両端とで噛合い係止する。
【００３９】
前記第２枠部Ｃ２は、前記基部Ｂに対し、前記補強部Ｄを挟んで形成され、その幅（前記基部Ｂの長辺方向の幅）が、前記基部Ｂの長辺の長さに等しく設定されているとともに、その幅方向の中間部において、前記一対の連結片４を介して前記基部Ｂに連結されている。
【００４０】
また、前記第２枠部Ｃ２には、前記基部Ｂの長辺と平行な３つの山折り線Ｙ４・Ｙ５・Ｙ６が設けられ、また、最外部に位置させられた山折り線Ｙ６よりも外側には、前記各連結片４の延長線上に位置し、これらの連結片４の長さ方向と直交するように前記スリットＡが形成されている。
【００４１】
前記スリットＡは、直線状、湾曲状、もしくは、屈曲した形状に形成された長穴やスリット状の切り込みであり、前記連結片４の長さ方向に間隔を置いて平行に二カ所、計四カ所に形成されている。
【００４２】
また、前記第２枠部Ｃ２の幅方向の両端部の外形が、前記基部Ｂ側の縁部から幅方向内側へ向かう第１の稜線３０１と、この第１の稜線３０１の端から幅方向外側へ向かう第２の稜線３０２と、この第２の稜線３０２に対して、前記山折り線Ｙ５と前記山折り線Ｙ６との中間位置を中心として対称となされた第３の稜線３０３とによって波形に形成されている。
【００４３】
そして、前記第１の稜線３０１は、前記山折り線Ｙ４と交差する位置まで、前記第２の稜線３０２は、前記山折り線Ｙ４から前記山折り線Ｙ５の間、また、前記第３の稜線３０３は、前記山折り線Ｙ６との交差する位置に始点を有するように形成されている。
【００４４】
さらに、前記第２枠部Ｃ２の両端部で、前記山折り線Ｙ５と前記山折り線Ｙ６との間に位置する部位には、前記第２枠部Ｃ２の幅方向に伸びる折り込み片５が連設され、この折り込み片５の基部に、山折り線Ｙ７が設けられている。
【００４５】
また、前記各第３の稜線３０３のそれぞれには、係合片７が連設されており、前記第１枠部Ｃ１の、前記スリットＡを挟んだ両側に設けられている切り込み８に挿入されて係止されるようになっている。
【００４６】
前記補強部Ｄは、略矩形状に形成されて、前記基部Ｂの縁部で、前記連結片４の両側に連設されており、本実施形態においては、前記基部Ｂの短辺の二カ所に、また、前記基部Ｂの長辺側の三カ所に設けられている。
【００４７】
これらの補強部Ｄの前記基部Ｂとの連接部は、前記連結片４と前記基部Ｂとの連接部と同一位置に設けられており、かつ、前記補強部Ｄの前記基部Ｂとの連接部には、谷折り線Ｔ２が設けられている。
【００４８】
図４に示すように、前記谷折り線Ｔ２と平行な三つの山折り線Ｙ８・Ｙ９・Ｙ１０が設けられており、前記補強部Ｄに設けられた前記山折り線Ｙ８、および、前記山折り線Ｙ１０は、前記補強部Ｄの幅一杯に設けられ、その間に位置する前記山折り線Ｙ９は、前記補強部Ｄの幅よりも短く形成されている。
【００４９】
そして、前記補強部Ｄには、中間の前記山折り線Ｙ９の各端部から、両側の前記山折り線Ｙ８・Ｙ１０の各端部に至る山折り線Ｙ１１・Ｙ１２が設けられ、さらに、前記山折り線Ｙ１１・Ｙ１２の間には、前記山折り線Ｙ９の各端部から、前記補強部Ｄの縁部に至る谷折り線Ｔ３が設けられている。
【００５０】
そして、前記第１枠部Ｃ１の、前記山折り線Ｙ２と前記山折り線Ｙ３との距離よりも、前記第２枠部Ｃ２の、前記山折り線Ｙ５と前記山折り線Ｙ６との距離が略紙２枚分短く設定されている。
【００５１】
ついで、前述したシートを用いて本実施形態に係わる額縁１を組み立てる手順について説明する。
以下の説明中、各枠体３ａ・３ｂの組み立てが同様の手順であることから、一つの第２枠部Ｃ２の組み立てについて説明し、その他については、その説明を省略する。
【００５２】
まず、図５に示すように、一対の連結片４をその中間に設けられている谷折り線Ｔ１において折り曲げ、前記連結片４を半分に折り曲げて重畳させるとともに、前記第２枠部Ｃ２を前記基部Ｂに重ね合わせる。
【００５３】
この状態において、前記第２枠部Ｃ２の前記基部Ｂ側の縁部が、前記補強部Ｄの谷折り線Ｔ２にほぼ一致させられる。
【００５４】
ついで、図６に示すように、前記補強部Ｄを、その谷折り線Ｔ２に沿って折り曲げる。
この状態において、前記補強部Ｄと前記基部Ｂとで、前記第２枠部Ｃ２の端部が挟み込まれる（図９参照）。
【００５５】
ついで、前記補強部Ｄを山折り線Ｙ８に沿って山折りした後に、図７に示すように、この補強部Ｄに設けられている各山折り線Ｙ９・Ｙ１１・Ｙ１２および谷折り線Ｔ３に沿って折り曲げることにより、前記補強部Ｄを、断面が三角形となる箱形とする。
【００５６】
さらに、山折り線Ｙ１０に沿って折り曲げることにより、図８および図９に示すように、前記補強部Ｄの先端を前記箱の下部に引き込んで補強体６を組み上げる。
【００５７】
ついで、図１０に示すように、前記第２枠部Ｃ２を山折り線Ｙ４・Ｙ５・Ｙ６に沿って折り曲げることにより、この第２枠部Ｃ２によって、前記補強体６の表面を覆うように位置させる。
【００５８】
この状態において、前記第２枠部Ｃ２に形成されている前記スリットＡは、前記連結片４を通る面上に位置させられており、これより、前記スリットＡに前記連結片４を嵌合させる。
【００５９】
すなわち、図１１に示すように、前記連結片４の先端を、前記一対のスリットＡの内、外側に位置させられたスリットＡに挿通させた後に折り返して、内側に位置させられているスリットＡに挿通させる。
なお、外側のスリットＡと前記連結片４の付け根に設けた係止切込み４ａ・４ｂとで一旦係止した後に、前記連結片４の先端を始末する意味を含めて、内側のスリットＡに前記連結片４を挿通させる。
【００６０】
このような前記連結片４の挿入を継続して行ない、図１２ないし図１４に示すように、前記第２枠部Ｃ２の、山折り線Ｙ６よりも外側の部位を、前記基部Ｂの裏面に当接させて固定することにより、前記第２枠体３ｂを組み上げる。
【００６１】
そして、同様にして第１枠体３ａを組み上げ、隣接する第１枠体３ａと第２枠体３ｂとをそれぞれの端部において連結して枠体３を組み上げ、これによって、本実施形態の額縁１を組み上げることができる。
【００６２】
前述したような隣接する第１枠体３ａと第２枠体３ｂとをそれぞれの端部において連結する際に、前記第２枠体３ｂの端部から突出する折り込み片５を、前記第１枠体３ａの端部からその内側に入れ込んで固定し、さらに、前記第２枠体３ｂに設けられている前記係合片７を、前記第１枠体３ａに設けられている切り込み８に係合させることによって、前記第１枠体３ａと前記第２枠体３ｂとを固定する。
【００６３】
この工程は、前記連結片4を前記スリットＡに完全に通し固定する前のまだ緩いときに行い、前記係合片７を前記切り込み８に係合させた後に、前記連結片４をスリットＡに完全に係合させるとよい。
【００６４】
このように構成された本実施形態に係わる額縁１にあっては、前記組み上げられた前記第１枠体３ａおよび前記第２枠体３ｂが、その長さ方向の内側において、前記連結片４によって前記基体２に固定されていることにより、前記第１枠体３ａおよび前記第２枠体３ｂの型崩れが防止され、前記額縁１の意匠的効果を維持することができる。
【００６５】
また、本実施形態においては、前記枠体３の内側に前記補強体６を配置し、前記枠体３をその内側から支持するように構成したから、前記枠体３の強度を高めて、型崩れ等を抑制することができる。
【００６６】
一方、本実施形態においては、前記前述したように組み上げた状態において、前記連結片４が前記枠体３内にほぼ収納されて外観が整えられている。
【００６７】
また、組み上げた状態から、はじめに前記係合片７を前記切り込み８から抜き取った後に、内側のスリットＡから前記連結片４を抜き、次に外側のスリットＡと前記連結片４の付け根に設けた係止切込み４ａ・４ｂの係止を解除して緩め若しくは外し、内部の補強体の組み立てを解除した後に、前記枠体３を、その折り線に沿った折り込みを解除するように変形させると、前記枠体３を前記基体２に沿うように平坦に折り畳んで収納状態とすることができる。
【００６８】
この場合、前記連結片４の端部が、前記スリットＡ内に位置するように、前記連結片４の長さを設定しておくと、再度組み立てる場合、前記連結片４の前記スリットＡへの挿入操作を容易にして、組み立て作業を簡便なものとすることができる。
【００６９】
一方、前記実施形態においては、前記補強部Ｄを枠体３の内部に位置させた例について示したが、この補強部Ｄは必ずしも設ける必要はなく省いてもよく、また、この補強部Ｄを別個に形成しておき、前記枠体３を組み上げる際に、その内部に挿入するようにしてもよい。
【００７０】
なお、前記実施形態において示した各構成部材の諸形状や寸法等は一例であって、設計要求等に基づき種々変更可能である。
【００７１】
＜第２の実施形態＞
本実施形態は、前記基体２を、図１５ないし図１８に示す六角形としたものである。
また、本発明においては、前記基体２は、五角形や七角形等の多角形状とすることもでき、角数が多くなるほど円形に近い額縁とすることができる。
なお、隣り合う各枠体は夫々離れているが、夫々の枠体を円周方向に連設することによって、枠体および額全体をより強固にすることができる。
その場合、この部分は、部分的切り抜きや切込みなど入れるが、折り重ねが必ず発生し、シートが２重３重になる。
【００７２】
さらに、円形や凹多角形でもよく、たとえばハート型でもよい。
また、前記枠体の断面形状も任意形状とすることができ、多角形、凹多角形、円弧などでもよい。
【００７３】
＜第３・第４の実施形態＞
本実施形態は、前記枠体３の形状として、図１９ないし図２２に示すような枠体１０・１１としたものである。
本実施形態においては、前記山折り線Ｙが２本の場合について説明する。
内側に位置する山折り線Ｙ１３・Ｙ１４を、図１９に示すような湾曲線としたり（第３の実施形態）、図２１に示すような屈曲線とすることができる（第４の実施形態）。
【００７４】
前者の場合には、形成される枠体１０の表面が滑らかな波形状となり、後者の場合には、枠体１１の表面が角のある波形状となる。
【００７５】
このような枠体１０・１１にあっては、その表面が三次元的に入り込むことにより、変形に対する強度が向上する。
【００７６】
この場合、山折り線Ｙ１４と枠体の底辺にある山折り線Ｙ４とで形成される面は、高次の曲面になるが、この面上の内部歪が底辺にある山折り線Ｙ４に影響しない場合は、底辺にある山折り線Ｙ４は、図２０および図２２に実線で示すように変形しない。
【００７７】
さらに、前記山折り線Ｙ１３・Ｙ１４の曲率が小さくなったり、ギザギザ状の角度が小さくなると、歪が大きくなり、底辺にある山折り線Ｙ４・Ｙ６が元の形状であることに耐えられず図２０および図２２に破線で示すように変形する。
このとき、前記枠体１０・１１の長辺方向が湾曲するため、この枠体１０・１１を前記基体２と連結した際に、前記基体２を含む額縁全体が湾曲し立体的形状となり、結果、湾曲スクリーン面の額縁ができる。
【００７８】
前記山折り線Ｙ１３・Ｙ１４を調整することで凸曲面スクリーンもできる。
なお、前記枠体１０・１１を形成する山折線は、底辺を含めて少なくとも３本であるが、数が多い場合は山折り線および谷折り線の少なくとも一方と組み合わせてもよく、数が多くても良い。また、途中分岐線の場合もある。
なお、この場合の断面は多角形、凹多角形、円弧などになる。
【００７９】
＜第５の実施形態＞
前述の実施形態の説明においては、前記基部Ｂと枠形成部Ｃとを連結片４によって一体化した例について示したが、図２３に示すように、前記連結片４をその中央部で切り離した構成とすることもできる。
このような構成とすることで、基部Ｂと枠形成部Ｃの色や模様を異なるものとすることができ、意匠性を高めることが可能となる。
なお、前記切り離した構成のときで枠体３側に補強部を付けた場合、補強部と枠体３との連設は、一体型の場合とは枠体の長手方向を上にして上下反転したものを連設する。
【００８０】
この場合、前記枠形成部Ｃを前記基部Ｂ上に、前記連結片４が重なり合うようにして重畳させた後に、前記枠形成部Ｃを折り曲げつつ、前記スリットＡに、重畳させられた前記連結片４を挿入することにより、図２４に示すように、枠体３が形成されるとともに基体２に固定される。
【００８１】
＜第６の実施形態＞
また、図２５に示す第６の実施形態のように、前記連結片４を前記枠形成部Ｃ側にだけ設けるようにしてもよい。
この場合、基部Ｂにも前記連結片４を挿入するスリットＡを設ける。
【００８２】
この場合には、前記連結片４を、図２６に示すように、はじめに前記基部Ｂに設けたスリットＡにその上方から挿入し、次に前記枠形成部Ｃを折り込んで枠体３を形成し、最後に前記基部Ｂの下部に折り込まれた前記枠形成部Ｃに設けられている前記スリットＡに挿入することによって、前記枠体３が前記基部Ｂに組み付けられる。
【００８３】
＜第７の実施形態＞
逆に、図２７に示す第７の実施形態のように、前記連結片４を基部Ｂにだけ設けるようにすることも可能である。
【００８４】
この例も、前記枠形成部Ｃに形成された前記連結片４を、前記基部ＢのスリットＡにその上方から挿入することによって、この基部Ｂに前記枠形成部Ｃを連結し、この連結片４を、図２８に示すように、前記基部Ｂの下部に折り込まれた前記枠形成部Ｃに形成されているスリットＡに挿入することによって、前記枠体３が前記基部Ｂに組み付けられる。
【００８５】
＜第８の実施形態＞
本実施形態は、前記枠形成部Ｃによって形成される枠体を、図２９ないし図３１に示すように、断面が円弧状となる枠体１３としたものである。
後述する斜め方向の場合は断面が多角形となる。
【００８６】
すなわち、枠形成部Ｃに、この長さ方向と直交する方向または斜め方向において湾曲させられた山折り線Ｙ１５および谷折り線Ｔ４を設ける。
また、前記谷折り線Ｔ４は、前記山折り線Ｙ１５に対して略相似形でかつ小さく設定されている。
【００８７】
そして、前記一つの山折り線Ｙ１５および一つの谷折り線Ｔ４を一組とし、これらを、前記枠体１３の長さ方向に間隔をおいて多数組設け、隣接する組の前記山折り線Ｙ１５の一端部と前記谷折り線Ｔ４の一端部間に、山折り線Ｙ１６を介して連結舌片１４を連設する。
【００８８】
また、前記山折り線Ｙ１５および前記谷折り線Ｔ４の他端部側に、連続した山折り線Ｙ１７を介して簡易的な補強部１５を連設する。
【００８９】
さらに、前記連結舌片１４に、一対のスリットＡを形成するとともに、前記枠の底に当る部分にスリットＡに嵌挿される連結片４を設ける。
【００９０】
前記枠形成部Ｃが装着される基部Ｂには、前記枠形成部Ｃに形成された前記スリットＡに重畳させられる一対のスリットＡを形成しておく。
なお、ここでは、前記基部Ｂの縁がギザギザ状となっているが、直線状でもよい。
【００９１】
このように形成された枠形成部Ｃおよび基部Ｂを用いて額縁を組み上げるには、まず、前記枠形成部Ｃを、各組の谷折り線Ｔ４および山折り線Ｙ１５において折り曲げることにより、下部が重畳し、図３０および図３１に示すように、断面がかまぼこ状でヒダのついた枠体１３が形成される。
【００９２】
ついで、前記山折り線Ｙ１６および山折り線Ｙ１７において折り曲げることにより、前記連結舌片１４を、前記枠体１３の下方を覆うように位置させる。
【００９３】
これより、前記枠体１３の下方に前記基部Ｂを対峙させることにより、この基部Ｂに設けられている一対のスリットＡが、前記連結舌片１４に設けられている一対のスリットＡに対峙させられる。
【００９４】
ついで、前記連結片４を、前記重畳させられている前記一対のスリットＡの内、内側に設けられている前記スリットＡに挿通させた後に、外側に設けられている前記スリットＡに挿通させることにより、図３１に示すように、前記連結片４によって、前記基部Ｂに、前記連結舌片１４を連結して、断面が円弧状の枠体１３を備えた額縁を組み上げることができる。
簡易的な補強部１５は直角に折って立ち上げ、円弧状に膨らんだ枠がつぶれないように支えにする。簡易的な補強部１５は重畳しているので紙が３重になっている。簡易的な補強部１５はスリットＡがあるのと反対側に枠部端部より、より多くの部材を確保して、連設して本格的につくることも可能である。また簡易的な補強部１５は無くてもよい。
【００９５】
ここでは、直線状に連結部の枠側を配列したが、前記基部Ｂの縁と前記スリットＡを円弧状に配列してもよい。
また、折り線を横切るような折り線を加えたり、山と谷の並び方を変えたり、角度を持たせたりすることが可能で、多様なバリエーションが可能である。
【００９６】
本発明において、「隣り合う一方の折り線を任意の数の山折りとし、他方の折り線を任意の数の谷折り線として」とは、山折り線と谷折り線が相互に並ぶことを意味しているが、配列のパターンは山、谷、山、谷ばかりでなく、山、山、谷の場合や、山、山、谷、谷などの多様なパターンがあることを意味している。ただし、枠の底辺を除く折り線が１本の場合は山折り線となる。
【００９７】
また、枠の長さ方向に平行な折り線若しくは斜めの折り線、と組合せることでより複雑な形状ができる。またヒダの付いていない形状も出来る。
例えば、蛇腹折り、ダイヤモンドパターンや、それを曲線に置き換えたもの、剛体折りなどが可能である。
また、曲線折りと広く云われている曲線による折り方や、屈曲線による折り方で、任意の３次元形状を作ることが可能である。
【００９８】
これらによってできた３次元形状の枠体を、基体の縁に巻き込み、連結片で連結することによって様々なバリエーションの額縁が出来る。これにより、額物が立体構造となり、意匠性に加えて、剛性が増す。
【００９９】
＜第９の実施形態＞
さらに、図３２ないし図３９に示す実施形態は、補強構造に変更を加えたものである。
この補強舌片は補強手段として単独で使用できるが、前記第１の実施形態で示した補強体６と同時使用も可能である。
【０１００】
本実施形態は、図２５に示す実施形態と同様に、枠形成部Ｃに連結片４を設けるとともに、この連結片４と幅方向の反対側にスリットＡを設け、基部Ｂに、前記連結片４に対応した位置にスリットＡを設けるとともに、このスリットＡ間に、枠の断面形状である略山形の切り込みを入れることによって、補強舌片１６を形成し、さらに、前記枠形成部Ｃに、前記補強舌片１６に対応した位置に、これらの補強舌片１６が差し込まれる補強舌片用スリットＥを形成したものである。
【０１０１】
前記枠形成部Ｃは、前記連結片４を取り囲むように延設され、幅方向に間隔をおいて、複数の山折り線Ｙ１８〜Ｙ２２が設けられている。
【０１０２】
また、前記補強舌片１６は、前記スリットＡと直交する谷折り線Ｔ５によって前記基部Ｂに連続させられており、前記谷折り線Ｔ５において折り曲げることにより、前記基部Ｂから山形に立ち上げられるようになっている。
【０１０３】
さらに、前記補強舌片１６の、前記基部Ｂとの連続部の一端部に不連続部が形成されており、この補強舌片１６を立ち上げたときに、前記基部Ｂとの間に若干の間隔を形成する枠係止部１６ａを形成するようになっている。
【０１０４】
本実施形態では、まず、図３３および図３４に示すように、前記補強舌片１６を立ち上げた後に、前記枠形成部Ｃを前記山折り線Ｙ２０において約９０度前後に折り曲げる。
【０１０５】
これより、前記枠形成部Ｃを前記基部Ｂに、前記連結片４が前記基部ＢのスリットＡに対向するように重ね合わせた後に、前記連結片４を図３５に矢印で示すように、前記基部ＢのスリットＡに差し込んで、前記枠形成部Ｃに形成されている補強舌片用スリットＥを、前記基部Ｂの補強舌片１６上に位置させる。
【０１０６】
そして、前記枠形成部Ｃを前記基部Ｂに重ね合わせることにより、前記補強舌片１６を前記補強舌片用スリットＥに差し込み、さらに、前記枠形成部Ｃをその面方向にずらすことにより、図３６および図３７に示すように、前記補強舌片用スリットＥの縁を、前記補強舌片１６の枠係止部１６ａに嵌め込む。
【０１０７】
ついで、前記枠形成部Ｃを、前記山折り線Ｙ１９および前記山折り線Ｙ１８において折り曲げることにより、図３８に示すように、前記枠形成部Ｃの一部によって前記補強舌片１６を包み込む。
【０１０８】
さらに、前記枠形成部Ｃの残余の部分を、前記山折り線Ｙ２０・Ｙ２１・Ｙ２２に沿って折り曲げて、この枠形成部Ｃを前記基部Ｂの下面に対向させるとともに、この下面において、前記基部Ｂの下面に引き出されている前記連結片４を、前記枠形成部Ｃに形成されているスリットＡに差し込んで、前記枠形成部Ｃを固定することにより、額縁を組み立てることができる。
【０１０９】
このような構成とすることにより、前記枠形成部Ｃの先に折り込まれた部分を包み込むように、前記枠形成部Ｃの残余の部分が折り込まれて固定されることから、形成された枠体１７が二重構造となされ、かつ、その内部において前記補強舌片１６により支持されて、より剛構造の枠体１７を形成することができる。
【０１１０】
しかも、前記枠形成部Ｃの一部が、前記補強舌片１６に、その枠係止部１６ａにおいて噛み込まれていることにより、前記枠体１７と前記基部Ｂとの連結が強固となる。
【０１１１】
＜第１０の実施形態＞
さらに、図４０ないし図４５に示す第１０の実施形態のように、前記折り込み片５に変更を加えて、前記枠体３の組み立て、および、平板状の不使用状態への移行を円滑にすることができる。
【０１１２】
すなわち、第１枠部Ｃ（Ｃ１）の両端部に、組み上げられた第１の枠体３ａの両端部を閉じる端部片１９を、山折り線Ｙ２５を介して連設しておく。
この端部片１９は、その一部が山折り線Ｙ２５を介して折り込まれるようになっており、この折り込まれる部分が、前記第１枠体３ａの内側に差し込まれて、この第１枠体３ａの内面に対峙させられるようになっている。
前記山折り線Ｙ２５は、前記端部片１９に重ね合わせるように折る。
【０１１３】
また、前記第２枠部Ｃ２の両端部に、谷折り線Ｔ６を介して係合片１８を連設しておく。
この係合片１８は、その縁部が、前記第１枠体３ａの山折り線Ｙ１に沿うようにして前記第１枠体３ａ内に差し込まれて、この第１枠体３ａの内側に対峙させられるようになっている。
【０１１４】
また、前記係合片１８の一部が、山折り線Ｙ２４を介して折り込まれるようになっており、この係合片１８が、前記第１枠体３ａに差し込まれた際に、この第１枠体３ａの山折り線Ｙ２の各端部において、前記第１枠体３ａの内側から前記端部材１９と前記第１枠部Ｃ１との角部に係合させられるようになっている。
【０１１５】
このように構成された本実施形態においては、前記各第１枠部Ｃ１および第２枠部Ｃ２を折り曲げて前記第１枠体３ａおよび第２枠体３ｂを組み立てる際に、隣り合う前記第１枠体３ａと前記第２枠体３ｂの端部を、前記連結片１８によって連結する。
【０１１６】
すなわち、図４１に示すように、前記第２枠部Ｃ２の係合片１８を、その一部を山折りした後に、前記第１枠部Ｃ１の端部において折り込まれた前記端部片１９の一部と前記第１枠部Ｃ１の内面との間に差し込む。
【０１１７】
ここで、前記係合片１８は、前記第１枠部Ｃ１の内側に、その内面に沿うように円滑に差し込まれ、差し込まれた後には、前記第１枠部Ｃ１の山折り線Ｙ２と前記第２枠部Ｃ２の山折り線Ｙ５とが、それぞれの端部において対峙させられる。
【０１１８】
さらに、前記係合片１８の一部が、前記端部片１９と第１枠部Ｃ１との角部に、その内側から係合する。
【０１１９】
これによって、一対の第１枠体３ａと一対の第２枠体３ｂとがそれぞれの端部において連結される。
ここで、前記連結片４を各スリットＡへ差し込む手順は、前述した各変形例における手順と同様であることからその説明を省略し、前記枠体３を組み上げた状態での前記連結片４と各枠形成部Ｃとの状態を図４３（ａ）に示す。
【０１２０】
このように、前記第１枠体３ａと前記第２枠体３ｂとの連結がなされることにより、図４２に示すような、４辺に、断面形状が三角形の枠体３を備えた額縁２０が組み上げられる。
【０１２１】
一方、図４０に示すように、前記連結片４の基部側と枠側のそれぞれの付け根側には、基部側に４ｄ、枠側には４ｅの切込みが入れてある。これは実施例1には示していないが本実施例には示している。
この切込みは額縁が組み上げられたとき、枠の内部で基部の先端部の切り込みと枠の底部の先端部の切り込みとが重なり、連結片４をスリットＡに挿入したときに、スリットＡが枠体３と基部Ｂとにより深く食い込み、且つ、基部Ｂの係止切込み４ｄと枠体３の切込み４ｅとが一体となって、連結片４が食い付くので組立て状態がより維持できる。
【０１２２】
さらに、たとえば図４３（ｂ）に示すように、連結片４の内側に突起４ｃを作り、ここに噛合わす枠体３に連結片係止孔Ｆを開けることで、ストッパーを設けることができる。
連結片４の基部Ｂ側の切り込み４ａと枠体３側にある切込み４ｂは(それらは枠と平行な切込みである)、額が組み立てられたときスリットＡとで噛合い係合する。
【０１２３】
そして、前記額縁２０が組み上げられた状態において、前記連結片４は、図４２（ｂ）および図４３（ａ）に示すように、前記枠体３の下面において、前記スリットＡから所定長さ突出して前記枠体３の下面に沿わされる。
【０１２４】
一方、前記額縁２０の不使用時には、前記枠体３の各角部における前記係合片１８はそのままで、前記各第１枠体３ａおよび第２枠体３ｂの頂部を前記基体２と反対側に開くように移動させることによって、前記係合片１８の先の係合片による係合が解け、前記各第１枠体３ａおよび第２枠体３ｂの折り込みを解く。
【０１２５】
この工程の前に、前記連結片４とそれを差し込んだスリットＡと噛合っている前記連結片４の付け根側に設けた係止切込み４ａ・４ｂを解除することによって、前記連結片４の係止を解き、前記連結片４をスリットＡへ戻すように基部Ｂ側に差し込んで連結片の係止を解く。
【０１２６】
これによって、図４４および図４５に示すように、前記額縁２０を平板状とすることができる。
【０１２７】
このような状態において、前記連結片４は、その先端部が前記スリットＡより若干突出した位置に保持される。
これによって、再度額縁として組み上げる際の作業が円滑に行なわれる。
なおこの場合、素材が紙だと前記工程を数回繰り返すと、素材そのものがへたるので、合成樹脂のシート体が好ましい。
【０１２８】
一方、前述した実施形態や変形例においては、全ての枠体と基体（基部Ｂ）とが連続している形態か、独立した形態として説明したが、これらを組み合わせることも可能である。
【０１２９】
このような構成とすることにより、独立した枠体の交換を可能にして、この独立した枠体の形状や色彩等を自由に変更することができ、意匠の多様化を図ることができる。
【０１３０】
また、前述した実施形態や変形例において、基体をくり貫いて窓や穴を設けることも可能である。
【０１３１】
このような構成とすることにより、本発明の額縁をパネル化した絵画、写真等や、ディスプレイ等に貼り付けて、映像等のデジタル作品の装飾等、様々な分野に応用することができる。
また、額縁内外に伝導性インクで配線を描き、ＬＥＤ電球を設けることができる。
【０１３２】
また、本発明の実施形態においては、枠体に装飾を付することにより、枠体、又はこれを含む額縁自体に美術的価値を持たせることもできる。
例えば、図４０の第２枠部Ｃ２の枠の基部Ｂ側の下部の左右それぞれに、基部Ｂ側から外側に間隔をあけて数個の切れ目Ｇを略左右対称入れる。
この切れ目Ｇは枠体３の内側より外側に向かって段々に枠の隅側に寄っている。
この間を、組み上げられたときの額の幅のそれぞれの切れ目Ｇ間より少し長めの帯状のシートを渡し、両端をこの切れ目Ｇに入れる。
この帯に、建物等の形状に切り抜いた図形を一体若しくは貼る。
この帯を前記切れ目Ｇにそれぞれ挿入すると、これらの帯に連設された建物状の図形はレイヤー状に重なる。
後ろのレイヤーの下部が前のレイヤーに陰重し、位置が上がっている。
本額縁を組み立てると額は立体になるが、それと同時に前記レイヤー状の建物付き帯は、奥行き方向に、組み立てる前より数倍の物理的な間隔を空けて位置し、切り抜いた建物の図形によって街並みが立体となったオブジェが形成される。
また、飛び出す絵本は本を開くと仕掛けが飛び出す装置であるが、本発明の額を立体的にするとき、枠部の移動と連動して若しくは独立して、仕掛け絵本にあるような仕掛けを飛び出させることができる。
【符号の説明】
【０１３３】
１  額縁
２  基体
３  枠体
３ａ  第１枠体
３ｂ  第２枠体
４  連結片
４ａ、４ｂ  係止切込み
４ｃ  突起
４ｄ、４ｅ  切込み
５  折り込み片
６  補強体
７  係合片
８  切り込み
１０、１１、１３、１７  枠体
１４  連結舌片
１５  補強部
１６  補強舌片
１６ａ  枠係止部
１８  係合片
１９  端部材
２０  額縁
３０１  第１の稜線
３０２  第２の稜線
３０３  第３の稜線
Ａ  スリット
Ｂ  基部
Ｃ  枠形成部
Ｃ１  第１枠部
Ｃ２  第２枠部
Ｄ  補強部
Ｅ  補強舌片用スリット
Ｆ  連結片係止スリット
Ｇ  切れ目
Ｔ１〜Ｔ６  谷折り線
Ｙ１〜Ｙ２５  山折り線
【図１】
2016083127.tif 000003
【図２】
2016083127.tif 000004
【図３】
2016083127.tif 000005
【図４】
2016083127.tif 000006
【図５】
2016083127.tif 000007
【図６】
2016083127.tif 000008
【図７】
2016083127.tif 000009
【図８】
2016083127.tif 000010
【図９】
2016083127.tif 000011
【図１０】
2016083127.tif 000012
【図１１】
2016083127.tif 000013
【図１２】
2016083127.tif 000014
【図１３】
2016083127.tif 000015
【図１４】
2016083127.tif 000016
【図１５】
2016083127.tif 000017
【図１６】
2016083127.tif 000018
【図１７】
2016083127.tif 000019
【図１８】
2016083127.tif 000020
【図１９】
2016083127.tif 000021
【図２０】
2016083127.tif 000022
【図２１】
2016083127.tif 000023
【図２２】
2016083127.tif 000024
【図２３】
2016083127.tif 000025
【図２４】
2016083127.tif 000026
【図２５】
2016083127.tif 000027
【図２６】
2016083127.tif 000028
【図２７】
2016083127.tif 000029
【図２８】
2016083127.tif 000030
【図２９】
2016083127.tif 000031
【図３０】
2016083127.tif 000032
【図３１】
2016083127.tif 000033
【図３２】
2016083127.tif 000034
【図３３】
2016083127.tif 000035
【図３４】
2016083127.tif 000036
【図３５】
2016083127.tif 000037
【図３６】
2016083127.tif 000038
【図３７】
2016083127.tif 000039
【図３８】
2016083127.tif 000040
【図３９】
2016083127.tif 000041
【図４０】
2016083127.tif 000042
【図４１】
2016083127.tif 000043
【図４２】
2016083127.tif 000044
【図４３】
2016083127.tif 000045
【図４４】
2016083127.tif 000046
【図４５】
2016083127.tif 000047